(57)【特許請求の範囲】
【請求項１】
装置の加速度を検出して検出値を出力する加速度検出手段と、
前記装置の移動ログを記録する記録手段と、
前記加速度検出手段から出力された検出値に基づいて前記装置が移動したか否かを判定し、前記装置が移動していないと判定するまで、定期的に前記検出値を前記移動ログとして前記記録手段に記録させる制御手段と
を有する移動検知回路を備え、
前記制御手段は、前記装置が移動したと判定したときに、前記装置が移動したことを示す移動検知フラグを記録手段に記録させ、
前記装置の電源がオンになったときに、前記装置が移動したことを示す移動検知フラグが前記記録手段に記録されているか判定し、前記装置が移動したことを示す移動検知フラグが記録されているときに、前記記録手段に記録された前記移動ログを送信するメールを作成する主制御回路と、
作成された前記メールを予め設定されたメールアドレスに送信する通信回路とを備え、
前記通信回路は、前記メールを送信する複数の通信手段を有し、
前記通信手段毎に前記メールを送信できたか否かを示す報告完了フラグを記録手段に記録し、
前記報告完了フラグのすべてが前記メールを送信できたことを示すまで、前記メールを送信できなかったことを示す報告完了フラグに対応する前記通信手段を介して前記メールを送信させる
ことを特徴とする画像形成装置。
【請求項２】
前記制御手段は、前記加速度検出手段から出力された検出値が第１の所定閾値を超えたときに、前記装置が移動したと判定して、前記移動ログとして前記検出値を前記記録手段に記録させることを開始し、前記加速度検出手段から出力された検出値が前記第１の所定閾値より小さく設定された第２の所定閾値以下になったときに、前記装置が移動していないと判定して、前記移動ログとして前記検出値を前記記録手段に記録させることを停止する
ことを特徴とする請求項１に記載の画像形成装置。
【請求項３】
前記移動検知回路は、
前記装置の現在位置を示すＧＰＳ情報を取得して出力するＧＰＳ受信手段と、
現在時刻を計時して日時情報を出力するＲＴＣとを有し、
前記制御手段は、前記移動ログとして、前記加速度検出手段から出力された検出値と、前記ＧＰＳ受信手段から取得したＧＰＳ情報と、前記ＲＴＣから取得した日時情報とを前記記録手段に記録させる
ことを特徴とする請求項１又は２に記載の画像形成装置。
【発明の詳細な説明】
【技術分野】
【０００１】
本発明は、画像形成装置が移動したことを検出する検出手段を備えた画像形成装置に関する。
【背景技術】
【０００２】
従来、画像形成装置の設置場所が変わったことを検出するため、画像形成装置が移動したか否かを検出する技術が提案されている（例えば、特許文献１〜３を参照）。
【０００３】
例えば、特許文献１の技術では、画像形成装置の電源がオフされているときに、電池を電源として動作し、画像形成装置の設置台における車輪の回転数等に基づいて、画像形成装置の移動距離を算出している。そして、画像形成装置の電源が投入されたときに、制御部が、予め画像形成装置の設置場所として記憶された位置情報を、電源オフ時に算出された移動量により更新している。
【０００４】
また、特許文献２の技術では、画像形成装置の電源がオフされているときに、バックアップ電源により動作し、画像形成装置の設置台における車輪の回転数に基づいて、画像形成装置の移動距離を算出し、移動距離が所定距離を超えると、画像形成装置が移動したことをメモリーに記憶させている。そして、画像形成装置の電源が投入されたときに、上記の移動したことを示す情報がメモリーに記憶されていれば、位置情報変更メッセージを表示して、ユーザーに位置情報の再登録を促している。
【０００５】
また、特許文献３の技術では、画像形成装置が稼動する際に、ＧＰＳ（Global Positioning system）情報を取得して、予めサービスマンによって記憶された正規の設置位置情報とＧＰＳ情報とを比較して、誤差範囲以上の移動が生じたときに、画像形成装置が移動した旨とＧＰＳ情報とを外部通知手段を介して管理センターに通知している。
【先行技術文献】
【特許文献】
【０００６】
【特許文献１】特開２００１−１４２６６５号公報
【特許文献２】特開２００７−０４２１１７号公報
【特許文献３】特開２００７−１４８１４４号公報
【発明の概要】
【発明が解決しようとする課題】
【０００７】
しかしながら、特許文献１〜３の技術では、画像形成装置の移動経過を記録しておらず、最終的な移動距離、又は位置情報を記録するため、画像形成装置がどのような経路で移動したのかを知ることができなかった。
【０００８】
本発明は上記課題に鑑みてなされたものであり、上記課題を解決する技術を提供することを目的とする。
【課題を解決するための手段】
【０００９】
本発明の画像形成装置は、装置の加速度を検出して検出値を出力する加速度検出手段と、前記装置の移動ログを記録する記録手段と、前記加速度検出手段から出力された検出値に基づいて前記装置が移動したか否かを判定し、前記装置が移動していないと判定するまで、定期的に前記検出値を前記移動ログとして前記記録手段に記録させる制御手段とを有する移動検知回路を備え、前記制御手段は、前記装置が移動したと判定したときに、前記装置が移動したことを示す移動検知フラグを記録手段に記録させ、前記装置の電源がオンになったときに、前記装置が移動したことを示す移動検知フラグが前記記録手段に記録されているか判定し、前記装置が移動したことを示す移動検知フラグが記録されているときに、前記記録手段に記録された前記移動ログを送信するメールを作成する主制御回路と、作成された前記メールを予め設定されたメールアドレスに送信する通信回路とを備え、前記通信回路は、前記メールを送信する複数の通信手段を有し、前記通信手段毎に前記メールを送信できたか否かを示す報告完了フラグを記録手段に記録し、前記報告完了フラグのすべてが前記メールを送信できたことを示すまで、前記メールを送信できなかったことを示す報告完了フラグに対応する前記通信手段を介して前記メールを送信させることを特徴とする。
また、前記制御手段は、前記加速度検出手段から出力された検出値が第１の所定閾値を超えたときに、前記装置が移動したと判定して、前記移動ログとして前記検出値を前記記録手段に記録させることを開始し、前記加速度検出手段から出力された検出値が前記第１の所定閾値より小さく設定された第２の所定閾値以下になったときに、前記装置が移動していないと判定して、前記移動ログとして前記検出値を前記記録手段に記録させることを停止してもよい。
また、前記移動検知回路は、前記装置の現在位置を示すＧＰＳ情報を取得して出力するＧＰＳ受信手段と、現在時刻を計時して日時情報を出力するＲＴＣとを有し、前記制御手段は、前記移動ログとして、前記加速度検出手段から出力された検出値と、前記ＧＰＳ受信手段から取得したＧＰＳ情報と、前記ＲＴＣから取得した日時情報とを前記記録手段に記録させてもよい。
【発明の効果】
【００１０】
本発明によれば、画像形成装置の移動経路を知ることができる。
【図面の簡単な説明】
【００１１】
【図１】本発明に係る実施形態の画像形成装置の構成を示すブロック図である。
【図２】図１に示す不揮発性メモリーのメモリー空間を示す一例である。
【図３】図２に示す移動ログ（３次元加速度センサー）のメモリー空間を示す一例である。
【図４】図２に示す移動ログ（ＧＰＳ）のメモリー空間を示す一例である。
【図５】図１に示すマイコンの処理の流れを示すフローチャートである。
【図６】図１に示すＣＰＵの処理の流れを示すフローチャートである。
【図７】図１に示す通信回路の処理の流れを示すフローチャートである。
【発明を実施するための形態】
【００１２】
以下、図を参照して本発明の実施形態を詳細に説明する。なお、以下の実施形態において、同様の機能を示す構成には、同一の符号を付してある。
【００１３】
画像形成装置１００は、図１に示すように、移動検知回路１と主制御回路２と通信回路３とプリンターエンジン４とを備えている。
【００１４】
移動検知回路１は、画像形成装置１００の移動を検知する回路であり、３次元加速度センサー１１とＧＰＳ受信部１２とＲＴＣ（Real Time Clock）１３と不揮発性メモリー１４と電池１５とマイコン１６とを有している。移動検知回路１は、画像形成装置１００が電源オン状態のときは、商用電源から電力供給を受け、画像形成装置１００が電源オフ状態のときは、電池１５から電力供給を受けて、常時駆動されている。
【００１５】
３次元加速度センサー１１は、画像形成装置１００におけるＸ軸、Ｙ軸、及びＺ軸方向の加速度を検出する。画像形成装置１００が移動等することによって画像形成装置１００に加速度が生じると、３次元加速度センサー１１は、画像形成装置１００の加速度を検出して、加速度センサー値をマイコン１６に出力する。
【００１６】
ＧＰＳ受信部１２は、ＧＰＳ衛星からＧＰＳ情報を取得して、ＧＰＳ情報をマイコン１６に出力する。ＧＰＳ情報は、画像形成装置１００における現在の位置情報（緯度情報、経度情報及び高度情報）を有している。
【００１７】
ＲＴＣ１３は、現在時刻を計時して、日時情報をマイコン１６に出力する。
【００１８】
不揮発性メモリー１４は、画像形成装置１００が移動したときの移動ログ情報を記録する。
【００１９】
図２は、不揮発性メモリー１４のメモリー空間を示した一例である。不揮発性メモリー１４には、移動検知フラグ領域１４ａ、報告完了フラグ領域１４ｂ、最終移動日時領域１４ｃ、移動ログ領域（３次元加速度センサー）１４ｄ、移動ログ領域（ＧＰＳ）１４ｅが設けられている。
【００２０】
移動検知フラグ領域１４ａには、画像形成装置１００が移動したか否かを示す移動検知フラグが記録される。例えば、移動検知フラグは、１ビットで表され、“０”であるときに、画像形成装置１００が移動していないことを示し、“１”であるときに、画像形成装置１００が移動していることを示す。なお、以下で、フラグが立つとは、フラグが“１”であることを示す。
【００２１】
報告完了フラグ領域１４ｂには、画像形成装置１００が移動した旨をメールで送信済みか否かを示す報告完了フラグが記録される。報告完了フラグは、通信回路３が有する通信手段毎に設けられる。例えば、本実施形態では、通信回路３には通信手段として、有線通信回路３１、無線通信回路３２、携帯電話通信回路３３が設けられているので、報告完了フラグは、３ビットで表される。報告完了フラグの各ビットは、有線通信回路３１、無線通信回路３２、携帯電話通信回路３３のそれぞれに対応付けられており、各ビットが有線通信回路３１、無線通信回路３２、携帯電話通信回路３３のそれぞれの報告完了フラグとして機能する。報告完了フラグのビットは、例えば有線通信回路３１、無線通信回路３２、携帯電話通信回路３３のおのおのに対応するビットが、“０”であるときに、メールが未送信であることを示し、“１”であるときに、メール送信済みであることを示す。例えば、報告完了フラグが、“０１１”であり、各ビットが順に有線通信回路３１、無線通信回路３２、携帯電話通信回路３３に対応付けられている場合、有線通信回路３１によるメールが未送信であり、無線通信回路３２、携帯電話通信回路３３によるメールが送信済みであることを示す。
【００２２】
最終移動日時領域１４ｃには、画像形成装置１００の最終移動日時が記録される。最終移動日時は、画像形成装置１００が最後に移動したと判定されたときのＲＴＣ１３の日時情報が格納される。最終移動日時領域１４ｃ、移動ログ領域（３次元加速度センサー）１４ｄ、移動ログ領域（ＧＰＳ）１４ｅに最後に記録された日時情報は同じである。
【００２３】
移動ログ領域（３次元加速度センサー）１４ｄには、画像形成装置１００が移動している間、ＲＴＣ１３の日時情報と３次元加速度センサー１１の加速度センサー値とが定期的に取得されて順に記録される。また、移動ログ領域（ＧＰＳ）１４ｅには、画像形成装置１００が移動している間、ＲＴＣ１３の日時情報とＧＰＳ受信部１２のＧＰＳ情報とが定期的に取得されて順に記録される。つまり、移動ログ領域（３次元加速度センサー）１４ｄは、３次元加速度センサー１１による画像形成装置１００の移動ログを時系列に記録する領域であり、移動ログ領域（ＧＰＳ）１４ｅは、ＧＰＳ受信部１２による画像形成装置１００の移動ログを時系列に記録する領域である。
【００２４】
具体的には、移動ログ領域（３次元加速度センサー）１４ｄには、図３に示すように、移動日時情報領域１４１ｄとＸ軸変化情報領域１４２ｄとＹ軸変化情報領域１４３ｄとＺ軸変化情報領域１４４ｄが設けられている。移動日時情報領域１４１ｄには、ＲＴＣ１３から取得した日時情報が記録される。Ｘ軸変化情報領域１４２ｄには、加速度センサー値のＸ軸変化情報が記録され、Ｙ軸変化情報領域１４３ｄには、加速度センサー値のＹ軸変化情報が記録され、Ｚ軸変化情報領域１４４ｄには、加速度センサー値のＺ軸変化情報が記録される。移動ログ領域（３次元加速度センサー）１４ｄには、画像形成装置１００が移動している間、定期的にマイコン１６によって加速度センサー値と日時情報とが追記されていく。
【００２５】
また、移動ログ領域（ＧＰＳ）１４ｅには、図４に示すように、移動日時情報領域１４１ｅと緯度情報領域１４２ｅと経度情報領域１４３ｅと高度情報領域１４４ｅが設けられている。移動日時情報領域１４１ｅには、ＲＴＣ１３から取得した日時情報が記録される。緯度情報領域１４２ｅには、ＧＰＳ情報の緯度情報が記録され、経度情報領域１４３ｅには、ＧＰＳ情報の経度情報が記録され、高度情報領域１４４ｅには、ＧＰＳ情報の高度情報が記録される。１４ｅには、画像形成装置１００が移動している間、定期的にマイコン１６によってＧＰＳ情報と日時情報とが追記されていく。
【００２６】
図１に戻り、電池１５は、画像形成装置１００の電源オフ時に、マイコン１６と、マイコン１６に接続された３次元加速度センサー１１、ＧＰＳ受信部１２、ＲＴＣ１３、及び不揮発性メモリー１４とに電力を供給する。画像形成装置１００の移動は、電源がオフされた状態で行われることが普通だからである。
【００２７】
マイコン１６は、３次元加速度センサー１１とＧＰＳ受信部１２とＲＴＣ１３と不揮発性メモリー１４と電池１５とに接続されている。マイコン１６は、１チップ化されたマイクロコンピューターであり、不図示のＣＰＵ（Central Processing Unit）が不図示のＲＯＭ（Read Only Memory）に記録された制御プログラムを不図示のＲＡＭ（Random Access Memory）に展開して、３次元加速度センサー１１とＧＰＳ受信部１２とＲＴＣ１３と不揮発性メモリー１４と電池１５を制御して、本実施形態の移動検知処理を行う。マイコン１６の移動検知処理の詳細は、後述する。
【００２８】
図１に戻り、主制御回路２は、ＣＰＵ２１とＲＯＭ２２とＲＡＭ２３とを有している。
【００２９】
ＣＰＵ２１は、ＲＯＭ２２に記憶された制御プログラムを読み出し、ＲＡＭ２３に制御プログラムを展開させることで、画像形成装置１００全体の制御を行う。なお、制御プログラムは、不図示のネットワーク又は不図示のコンピューター読取可能な記録媒体を介してＲＯＭ２２に記憶されてもよい。ＣＰＵ２１は、不図示の原稿読取部で読み取られた画像データ、又は通信回路３を介して不図示のコンピューター端末から取得した画像データを、プリンターエンジン４に出力して印刷させる。
【００３０】
また、ＣＰＵ２１は、画像形成装置１００の電源がオンになると、起動して、マイコン１６を介して不揮発性メモリー１４に記憶された移動検知フラグを取得する。ＣＰＵ２１は、移動検知フラグが立っている場合、マイコン１６を介して不揮発性メモリー１４から報告完了フラグと最終移動日時と移動ログ（加速度センサー値とＧＰＳ情報）を取得して、不図示のメール作成部により画像形成装置１００が移動した旨と最終移動日時と移動ログとを送信するメールを作成し、通信回路３を介して予め設定された管理者等のメールアドレス宛にメールで送信する。ＣＰＵ２１の処理の詳細は、後述する。
【００３１】
通信回路３は、通信手段として有線通信回路３１と無線通信回路３２と携帯電話通信回路３３とを有しており、有線通信回路３１と無線通信回路３２と携帯電話通信回路３３とのそれぞれの通信回線を用いて主制御回路２から取得したメールを送信する。
【００３２】
次に、図５〜７を参照して、画像形成装置１００の移動を検知して、移動情報をメールで送信する処理の流れを説明する。まず、図５を参照して、マイコン１６の移動検知処理を説明する。
【００３３】
マイコン１６は、最初に起動した際に省エネモードに設定され、待機状態（スリープ状態）となっている（ステップＳ１０１）。画像形成装置１００が電源オン状態であるときや（ステップＳ１０２でＮｏ）、画像形成装置１００が動いておらず加速度に変化がない場合（ステップＳ１０３でＮｏ）、マイコン１６は待機状態のままである。
【００３４】
一方、画像形成装置１００が電源オフ状態（ステップＳ１０２でＹｅｓ）のときに、３次元加速度センサー１１が画像形成装置１００における加速度の変化を検出して（ステップＳ１０３でＹｅｓ）、加速度センサー値がマイコン１６に出力されると、マイコン１６が省エネモードから移動検知処理モードに移行する（ステップＳ１０４）。移動検知処理モードは、マイコン１６が画像形成装置１００が移動しているか否かを検知して、画像形成装置１００が移動している間、定期的に画像形成装置１００の移動ログを記録するモードである。
【００３５】
つまり、マイコン１６は、３次元加速度センサー１１から画像形成装置１００の加速度が変化したことを示す加速度センサー値が出力されるまで消費電力を抑えた省エネモードで動作し、３次元加速度センサー１１から画像形成装置１００の加速度が変化したことを示す加速度センサー値を取得すると、省エネモードから移動検知処理モードに復帰する。言い換えれば、マイコン１６は、３次元加速度センサー１１が画像形成装置１００における加速度の変化を検出するまで省エネモードで待機している。そして、３次元加速度センサー１１が画像形成装置１００における加速度の変化を検出して、マイコン１６に加速度センサー値を出力すると、この加速度センサー値がマイコン１６の省エネモードを解除する割り込み信号として機能して、マイコン１６が省エネモードから移動検知処理モードに復帰する。
【００３６】
移動検知処理モードに移行したマイコン１６は、３次元加速度センサー１１から出力された加速度センサー値を取得して（ステップＳ１０５）、画像形成装置１００が移動したか判定する（ステップＳ１０６）。例えば、マイコン１６は、加速度センサー値が第１の所定閾値を超えた場合に、画像形成装置１００が移動したと判定し、加速度センサー値が第１の所定閾値以下である場合に、画像形成装置１００が移動していないと判定する。
【００３７】
マイコン１６は、画像形成装置１００が移動していないと判定すると（ステップＳ１０６でＮｏ）、再び省エネモードに移行して（ステップＳ１１５）、待機状態となる。なお、ここで、３次元加速度センサー１１は画像形成装置１００における加速度の変化を検出しているが（ステップＳ１０３でＹｅｓ）、ここで検出された加速度の変化は、移動ではなく振動と判断される（ステップＳ１０６でＮｏ）。
【００３８】
一方、マイコン１６は、画像形成装置１００が移動したと判定すると（ステップＳ１０６でＹｅｓ）、不揮発性メモリー１４の移動検知フラグを立てる（ステップＳ１０７）。そして、マイコン１６は、ＧＰＳ受信部１２からＧＰＳ情報を取得し（ステップＳ１０８）、ＲＴＣ１３から日時情報を取得して（ステップＳ１０９）、３次元加速度センサー１１から取得した加速度センサー値と共に不揮発性メモリー１４に移動ログを記録する（ステップＳ１１０）。
【００３９】
そして、マイコン１６は、例えば１０秒等の所定時間待って（ステップＳ１１１）、３次元加速度センサー１１から加速度センサー値を取得して（ステップＳ１１２）、再び画像形成装置１００が移動しているか判定する（ステップＳ１１３）。このとき、マイコン１６は、加速度センサー値が第２の所定閾値を超えた場合に、画像形成装置１００が移動したと判定し、加速度センサー値が第２の所定閾値以下である場合に、画像形成装置１００が移動していないと判定する。第２の所定閾値は、第１の所定閾値よりも小さく設定され、画像形成装置１００の振動も移動として検出するように設定されている。つまり、例えば画像形成装置１００が電車や車等により等速で運ばれていても振動していれば、画像形成装置１００の移動として検出される。
【００４０】
画像形成装置１００が移動している間（ステップＳ１１３でＹｅｓ）、定期的にＧＰＳ情報と日時情報と加速度センサー値とが移動ログに追記される（ステップＳ１０８〜ステップＳ１１３）。つまり、画像形成装置１００の移動経路情報が不揮発性メモリー１４に記録される。
【００４１】
画像形成装置１００の移動が終わると（ステップＳ１１３でＮｏ）、マイコン１６は、最後に移動ログとして記録したＲＴＣ１３の日時情報を最終移動日時として最終移動日時領域１４ｃに記録する（ステップＳ１１４）。そして、マイコン１６は、省エネモードに移行して（ステップＳ１１５）、待機状態となる。
【００４２】
次に、図６を参照して、画像形成装置１００の電源がオンしたときの処理の流れを説明する。
【００４３】
画像形成装置１００の電源がオンすると（ステップＳ２０１）、ＣＰＵ２１が起動する（ステップＳ２０２）。ＣＰＵ２１は、マイコン１６を介して不揮発性メモリー１４に記録された移動検知フラグを取得する（ステップＳ２０３）。ＣＰＵ２１は、移動検知フラグが立っていない場合（ステップＳ２０４でＮｏ）、すなわち、画像形成装置１００が移動したことが記録されていない場合、本処理を終了する。
【００４４】
一方、ＣＰＵ２１は、移動検知フラグが立っている場合（ステップＳ２０４でＹｅｓ）、すなわち、画像形成装置１００が移動したことが記録されている場合、マイコン１６を介して不揮発性メモリー１４に記録された移動ログと報告完了フラグとを取得する（ステップＳ２０５）。そして、マイコン１６は、報告完了フラグが立っていない通信手段を使用して、移動ログをメールで送信させる（ステップＳ２０６）。この移動ログのメール送信処理については、後で説明するが、通信手段として、有線通信回路３１と無線通信回路３２と携帯電話通信回路３３によってメール送信処理が行われ、メール送信を完了した通信手段については、報告完了フラグが立てられる。
【００４５】
ＣＰＵ２１は、所定時間待って（ステップＳ２０７）、マイコン１６を介して不揮発性メモリー１４から報告完了フラグを取得する（ステップＳ２０８）。ここで、所定時間待つのは、通信手段によって接続確認や通信時間が異なるからである。
【００４６】
そして、ＣＰＵ２１は、通信手段の全てについて報告完了フラグが立ったか判定する（ステップＳ２０９）。通信手段の全てについて報告完了フラグが立つと（ステップＳ２０９でＹｅｓ）、ＣＰＵ２１は、マイコン１６を介して不揮発性メモリー１４に記録された移動検知フラグと全ての報告完了フラグとをクリアして（ステップＳ２１０）、本処理を終了する。これにより、移動検知フラグと報告完了フラグの各ビットは、“１”から“０”にクリアされる。
【００４７】
一方、一部の通信手段について報告完了フラグが立っていなければ（ステップＳ２０９でＮｏ）、移動検知フラグと報告完了フラグとはクリアされないまま本処理が終了する。そのため、再び画像形成装置１００の電源がオンになったときに、本処理が繰り返され、報告完了フラグが立っていない通信手段を使用してメール送信処理が行われる（ステップＳ２０１〜ステップＳ２１０）。
【００４８】
図７を参照して、報告完了フラグが立っていない通信手段を使用したメール送信処理の流れを説明する。本処理は、メール送信処理を行う通信手段が複数ある場合、それぞれの通信手段で独立して並行に処理される。
【００４９】
通信回路３は、報告完了フラグが立っていない通信手段のそれぞれについて接続先のホストに対して接続確認を行い（ステップＳ２６１）、接続を確立できたか判定する（ステップＳ２６２）。接続が確立できると（ステップＳ２６２でＹｅｓ）、通信手段は、通信を開始して、メールを送信する（ステップＳ２６３）。通信回路３は、ＣＰＵ２１、マイコン１６を介して、不揮発性メモリー１４を参照し、メール送信を行った通信手段に対応する報告完了フラグを立てて（ステップＳ２６４）、本処理を終了する。接続が確立できなかった通信手段については（ステップＳ２６２でＮｏ）、報告完了フラグが立たないまま本処理が終了する。
【００５０】
以上により、本実施形態では、画像形成装置１００が移動している間、移動ログとして定期的に３次元加速度センサー１１の加速度センサー値とＧＰＳ受信部１２のＧＰＳ情報とＲＴＣ１３の日時情報とが不揮発性メモリー１４に記録されるので、画像形成装置１００の移動経路を知ることができる。また、画像形成装置１００の管理者は、画像形成装置１００の移動経路が有線通信回路３１と無線通信回路３２と携帯電話通信回路３３とにより管理者のメールアドレスにメールで送信されるので、画像形成装置１００が移動したことを確実に知ることができる。また、本実施形態では、携帯電話通信回路３３によりメールを送信するので、画像形成装置１００が外部に持ち出されても、確実にネットワークを確保でき、メールを送信することができる。
【００５１】
なお、移動ログの送信先となるメールアドレスは、メーリングリストの代表メールアドレスであってもよい。この場合、代表メールアドレスにメールが送信されると、予めメーリングリストとして登録された複数人のメールアドレス宛に、自動的に代表メールアドレスで受信されたメールが転送されるようにしてもよい。
【００５２】
また、移動検知フラグは、“１”であるときに、画像形成装置１００が移動していないことを示し、“０”であるときに、画像形成装置１００が移動していることを示してもよい。また、報告完了フラグの有線通信回路３１、無線通信回路３２、携帯電話通信回路３３のおのおのに対応するビットは、“１”であるときに、報告済みであることを示し、“０”であるときに、未報告であることを示してもよい。
【００５３】
本発明は上述した実施の形態に限定されるものではなく、本発明の趣旨を逸脱しない範囲で種々様々に変更が可能であることは言うまでもない。
【符号の説明】
【００５４】
１  移動検知回路
２  主制御回路
３  通信回路
４  プリンターエンジン
１１  ３次元加速度センサー
１２  ＧＰＳ受信部
１３  ＲＴＣ
１４  不揮発性メモリー
１５  電池
１６  マイコン
２１  ＣＰＵ
２２  ＲＯＭ
２３  ＲＡＭ
３１  有線通信回路
３２  無線通信回路
３３  携帯電話通信回路
１００  画像形成装置
【図１】
0006005601.tif 000002
【図２】
0006005601.tif 000003
【図３】
0006005601.tif 000004
【図４】
0006005601.tif 000005
【図５】
0006005601.tif 000006
【図６】
0006005601.tif 000007
【図７】
0006005601.tif 000008